(57)【要約】【課題】トナー容器装着室からトナー容器を引き抜いたときにこのトナー容器の外周面等にトナーが残留しにくい現像装置を提供する。【解決手段】シャッタ１２０のうち受容口１２２の下方部分であってトナー容器装着室１１２に向いた部分には、細長いシール部材１２４が貼り付けられて固定されている。シール部材１２４は、受容口１２２の長手方向に延びている。シール部材１２４は、トナー容器装着室１１２に装着されたトナー容器７０とシャッタ１２０との隙間を塞ぐものである。また、シャッタ１２０のうちシール部材１２４の上方であって受容口１２２の下方には、複数の誘導開口１２６が形成されている。この誘導開口１２６は、シール部材１２４の上方に存在するトナーを現像室１１４に誘導する。【選択図】　　図３
2004125935.tif 000002
【特許請求の範囲】
【請求項１】
収容されたトナーを排出するための排出口がその外周面に形成された円筒形のトナー容器が着脱自在に装着されるトナー容器装着室と、前記排出口から排出されたトナーが収容されると共に該トナー容器装着室に隣接する現像室と、該現像室と前記トナー容器装着室との間に配置されると共に前記排出口に重なる受容口が形成されたシャッタとを備え、前記トナー容器装着室に前記トナー容器を装着してその外周方向に回動させることにより前記排出口と前記受容口とを重ねて前記トナー容器から前記現像室にトナーを補充する現像装置において、
前記シャッタは、
該シャッタのうち前記受容口の下方部分であって前記トナー容器装着室に向いた部分に固定された、前記トナー容器装着室に装着された前記トナー容器と前記シャッタとの隙間を塞ぐシール部材と、
該シャッタのうち前記シール部材の上方であって前記受容口の下方に形成された、シール部材の上方に存在するトナーを前記現像室に誘導する誘導開口とを有するものであることを特徴とする現像装置。
【請求項２】
前記シャッタは、
前記シール部材が固定される、前記トナー容器の長手方向に延びる座面とを備えたものであり、
該座面は、
その長手方向中央部がその長手方向両端部よりも高いものであることを特徴とする請求項１に記載の現像装置。
【請求項３】
収容されたトナーを排出するための排出口がその外周面に形成された円筒形のトナー容器が着脱自在に装着されるトナー容器装着室と、前記排出口から排出されたトナーが収容されると共に該トナー容器装着室に隣接する現像室と、該現像室と前記トナー容器装着室との間に配置されると共に前記排出口に重なる受容口が形成されたシャッタとを備え、前記トナー容器装着室に前記トナー容器を装着してその外周方向に回動させることにより前記排出口と前記受容口とを重ねて前記トナー容器から前記現像室にトナーを補充する現像装置において、
前記シャッタは、
該シャッタのうち前記受容口の下方部分であって前記トナー容器装着室に向いた部分に固定された、前記トナー容器装着室に装着された前記トナー容器と前記シャッタとの隙間を塞ぐシール部材と、
該シール部材が固定される、前記トナー容器の長手方向に延びる座面とを備えたものであり、
該座面は、
その長手方向中央部がその長手方向両端部よりも高いものであることを特徴とする現像装置。
【発明の詳細な説明】
【０００１】
【発明の属する技術分野】
本発明は、複写機やプリンター、ファクシミリ等の画像形成装置に組み込まれる現像装置に関する。
【０００２】
【従来の技術】
図９から図１３までを参照して、従来の複写機の一例を説明する。
【０００３】
図９は、従来の複写機の一例を示す斜視図である。図１０は、図９の複写機におけるトナー補給の様子を示す斜視図である。図１１（ａ）は、図９の複写機の現像装置でトナーを補給している様子を示す模式図であり、（ｂ）は、開口の下部の周辺を示す拡大図である。図１２（ａ）は、回動中のトナー容器を示す模式図であり、（ｂ）は、開口の下部の周辺を示す拡大図である。図１３（ａ）は、回動が終了したトナー容器を示す模式図であり、（ｂ）は、開口の下部の周辺を示す拡大図である。
【０００４】
複写機１０は、原稿に記録された画像を読み取るための複数の部品が組み込まれた第１筐体２０と、画像を記録媒体に形成するための複数の部品が組み込まれた第２筐体３０とを有する。第２筐体３０は、図に示すように、第１筐体２０の下に配置されている。従って、第１筐体２０は第２筐体３０に載置されていることとなる。なお、第１筐体２０は、第２筐体３０の上面に沿って矢印Ａ，Ｂ方向に移動する。
【０００５】
複写機１０の頂面には開閉自在な直方体状の原稿圧着板２２が配置されている。原稿圧着板２２の下には、原稿に記録された画像を読み取る画像読取装置２４が配置されている。画像読取装置２４の上面（上壁）は、原稿が載置される原稿台ガラス（図示せず）である。原稿圧着板２２と画像読取装置２４などによって、第１筐体２０が構成されている。
【０００６】
第２筐体３０のうち、第１筐体２０よりも手前側（正面側）には、複写枚数などが入力される操作パネル３２が配置されている。第２筐体３０の下部には、複数枚のカット紙が収容されるカセット４０が第２筐体３０に出し入れ自在に備えられている。第２筐体３０の右側壁には、葉書などの小サイズの記録紙を給紙できる矩形状の手差しトレイ４２が備えられている。この手差しトレイ４２は、下辺部４２ａを中心にして回動し、記録媒体を載置できる位置まで開く。また、第２筐体３０の左側部分には空間が形成されており、排出された記録紙が積載される排紙トレイ３４が形成されている。
【０００７】
第２筐体３０の内部には現像装置３６が組み込まれている。この現像装置３６には、円筒形のトナー容器７０からトナーが補給される。トナー容器７０は、現像装置３６のトナー容器装着室３６ａに装着されている。トナー容器装着室３６ａに装着されているトナー容器７０のトナーが無くなったときは、このトナー容器７０をトナー容器装着室３６ａから取り出して、トナーが充填されている新たなトナー容器７０をトナー容器装着室３６ａに装着する。この交換手順を説明する。
【０００８】
トナー容器７０を交換する際は先ず、図１０に示すように、前カバー３８を開き、既に装着されているトナー容器７０の把手７１を引き起こす。続いて、この把手７１を時計方向（矢印Ｃ方向）に回動する。次に、把手７１を掴んでトナー容器７０を手前（矢印Ｄ方向）に引き抜く。その後、新しいトナー容器７０を、上記とは逆の手順でトナー容器装着室３６ａに装着する。これにより、トナー容器７０の交換が完了する。
【０００９】
トナー容器７０には、図１１などに示すように、軸７０ａと弾性体７０ｂとで構成されたトナー搬送ユニットが内蔵されている。軸７０ａを回転させて弾性体７０ｂを回転させることにより、トナー容器７０の内部のトナーがトナー容器７０の開口（排出口）７２に向かって搬送されて外部に排出される。トナー容器７０には、現像室３６ｂが隣接しているので、排出されたトナーは現像室３６ｂに供給されることとなる。
【００１０】
上記した現像装置３６は、プロセスカートリッジ８０に組み込まれている。プロセスカートリッジ８０には、現像装置３６の他に、静電潜像が形成される感光ドラム１２やこの感光ドラム１２を一様に帯電する帯電器１４も組み込まれている。
【００１１】
また、トナー容器装着室３６ａと現像室３６ｂの間には、受容口（開口）９２が形成されたシャッタ９０が配置されている。シャッタ９０は、円筒形のトナー容器７０の外周面を半分ほど覆うような形状をしている。シャッタ９０は、トナー容器装着室３６ａに装着されたトナー容器７０と共に回動するものであり、トナー容器７０が補給位置（図１１で示す位置）に位置しているときは、開口７２と受容口９２が重なり合う。また、トナー容器７０をトナー容器装着室３６ａから抜き取るために回動させたときは、図１３に示すように、シャッタ９０も回動して受容口９２は上に移動する。この結果、トナー容器装着室３６ａと現像室３６ｂはシャッタ９０で仕切られることとなる。
【００１２】
上記した現像装置３６に組み込まれているトナー容器７０に収容されているトナーは、上記した軸７０ａと弾性体７０ｂが回転することにより、図１１に示すように、開口（排出口）７２を通って現像室３６ｂに供給される（搬送される）。現像室３６ｂに搬送されたトナーは、その内部のトナー撹拌部材（図示せず）によって撹拌されながら現像スリーブ１６に担持されて感光ドラム１２の静電潜像に供給される。これにより、静電潜像が現像されてトナー像が形成される。
【００１３】
【発明が解決しようとする課題】
しかし、上記した従来の現像装置では以下のような問題がある。
【００１４】
トナー容器７０に収容されているトナーは、図１１に示すように、トナー容器７０の開口７２とシャッタ９０の受容口９２を通過して現像室３６ｂに到達する。ところで、トナー容器７０の外周面とシャッタ９０の内壁面（トナー容器７０に向き合う面）の間には、隙間が形成されている。トナーが開口７２と受容口９２を通過中にこの隙間に落下しないように、隙間のうち開口７２及び受容口９２双方の底壁７３，９３の近傍部分にはシール部材９４が配置されている。
【００１５】
シール部材９４によるシール性を確保するためにはシール部材９４を押しつぶして使用することが必要となる。このため、上記の隙間よりも厚いシール部材９４がシャッタ９０に貼り付けられている。シール部材９４による押し付け力はトナー容器７０の壁に作用するので、樹脂（ＡＢＳなど）で形成されたトナー容器７０は、この圧力に負けて内側に変形してしまうことがある。または、トナー容器７０が成型品である場合は、その工程上の都合によってトナー容器７０に反りが発生してトナー容器７０の外周面がシール部材９４から離れる方向に変形してしまうことがある。
【００１６】
上記のような変形が発生した場合、図１１に示すように、トナー容器７０を矢印Ｃ方向に回動したときは、シャッタ９０の底壁９３とトナー容器７０の底壁７３との間の隙間がいっそう広がってしまうので、トナーがこの隙間に入り込み易くなる。この状態からさらにトナー容器７０を回動させた場合、図１３に示すように、シャッタ９０の内周面とトナー容器７０の外周面とにトナーが付着したままとなる。この状態でトナー容器７０を引き抜いたときは、トナー容器７０を取り扱うユーザーの手や服、あるいは周辺の床などをトナーで汚してしまうことがある。
【００１７】
また、トナーを遮蔽する能力（トナー遮蔽能力）を高めるためにシール部材９４の厚みを増やした場合、シール部材９４とトナー容器７０との摺動面の圧力が大きくなるので、トナー容器７０を回動させるための負荷トルクが増加する。この結果、ユーザーがトナー容器７０を操作するために必要な力が増加するので操作性が著しく悪化するおそれがある。
【００１８】
本発明は、上記事情に鑑み、トナー容器装着室からトナー容器を引き抜いたときにこのトナー容器の外周面等にトナーが残留しにくい現像装置を提供することを目的とする。
【００１９】
【課題を解決するための手段】
上記目的を達成するための本発明の第１の現像装置は、収容されたトナーを排出するための排出口がその外周面に形成された円筒形のトナー容器が着脱自在に装着されるトナー容器装着室と、前記排出口から排出されたトナーが収容されると共に該トナー容器装着室に隣接する現像室と、該現像室と前記トナー容器装着室との間に配置されると共に前記排出口に重なる受容口が形成されたシャッタとを備え、前記トナー容器装着室に前記トナー容器を装着してその外周方向に回動させることにより前記排出口と前記受容口とを重ねて前記トナー容器から前記現像室にトナーを補充する現像装置において、前記シャッタは、
（１）該シャッタのうち前記受容口の下方部分であって前記トナー容器装着室に向いた部分に固定された、前記トナー容器装着室に装着された前記トナー容器と前記シャッタとの隙間を塞ぐシール部材と、
（２）該シャッタのうち前記シール部材の上方であって前記受容口の下方に形成された、シール部材の上方に存在するトナーを前記現像室に誘導する誘導開口とを有するものであることを特徴とするものである。
【００２０】
ここで、
（３）前記シャッタは、前記シール部材が固定される、前記トナー容器の長手方向に延びる座面とを備えたものであり、
（４）該座面は、その長手方向中央部がその長手方向両端部よりも高いものであってもよい。
【００２１】
また、上記目的を達成するための本発明の第２の現像装置は、収容されたトナーを排出するための排出口がその外周面に形成された円筒形のトナー容器が着脱自在に装着されるトナー容器装着室と、前記排出口から排出されたトナーが収容されると共に該トナー容器装着室に隣接する現像室と、該現像室と前記トナー容器装着室との間に配置されると共に前記排出口に重なる受容口が形成されたシャッタとを備え、前記トナー容器装着室に前記トナー容器を装着してその外周方向に回動させることにより前記排出口と前記受容口とを重ねて前記トナー容器から前記現像室にトナーを補充する現像装置において、
（５）前記シャッタは、
（５−１）該シャッタのうち前記受容口の下方部分であって前記トナー容器装着室に向いた部分に固定された、前記トナー容器装着室に装着された前記トナー容器と前記シャッタとの隙間を塞ぐシール部材と、
（５−２）該シール部材が固定される、前記トナー容器の長手方向に延びる座面とを備えたものであり、
（６）該座面は、その長手方向中央部がその長手方向両端部よりも高いものであることを特徴とするものである。
【００２２】
【発明の実施の形態】
図面を参照して本発明の実施形態を説明する。
【００２３】
本発明の現像装置の一実施形態が組み込まれた複写機について、図１を参照して説明する。
【００２４】
図１は、複写機の内部構造を示す模式図である。この図では、図９と図１０に示された構成要素と同一の構成要素には同一の符号が付されている。
【００２５】
複写機１００の基本的な構成は、図９に示す複写機１０と同一である。
【００２６】
複写機１００には、図９を参照して説明した複写機１０と同様に、操作パネル３２（図９参照）やカセット４０が備えられている。複写機１００で画像を形成するに際は、第１筐体２０を画像形成位置（図１に示す位置）に位置させておく。原稿に記録された画像を記録媒体に形成するためには、原稿圧着板２２を開き、原稿台ガラス（図示せず）の上面に、画像面が下になるように原稿を載置し、この原稿を原稿圧着板２２で押さえて固定する。次に、操作パネル３２（図９参照）の操作ボタン等を押すことにより、原稿に記録された画像は、画像読取装置２４で読み取られる。読み取られた画像はデジタル信号に変換され、このデジタル信号は、レーザースキャナ５０に送信される。
【００２７】
レーザースキャナ５０に送信された信号はレーザ光に変換されて、このレーザ光は、高速で回転するスキャナミラー５０ａ、折り返しミラー５０ｂを経由して感光ドラム１２に照射される。感光ドラム１２は帯電器１４によって一様に帯電されており、レーザ光が照射された感光ドラム１２には静電潜像が形成される。この静電潜像は現像ローラ１６から供給された現像剤で現像されて現像像が形成される。
【００２８】
一方、カセット４０からは記録紙などの記録媒体が給紙ローラ４４によって矢印Ｅ方向（給紙方向）に給紙され、搬送ローラ４６とレジストローラ４８によって転写器５２に搬送される。転写器５２では、搬送されてきた記録媒体に感光ドラム１２の現像像が転写される。現像像が転写された記録媒体は搬送装置５４によって定着器５６に搬送される。定着器５６には定着ローラ５６ａと加圧ローラ５６ｂが配置されており、これら２つのローラ５６ａ，５６ｂに記録媒体が挟まれながら搬送されて、現像像が記録媒体に定着される。このようにして現像像が定着された記録媒体は排紙ローラ５８によって排出されて排紙トレイ３４に積載される。
【００２９】
なお、手差しトレイ４２から記録媒体を給紙することもでき、手差しトレイ４２から給紙された記録媒体に画像が形成される手順も上記と同じである。
【００３０】
上述したように複写機１００には種々の部品や部材が組み込まれている。これらの部品のうち、帯電器１４、感光ドラム１２、及び現像ローラ１６などはプロセスカートリッジ６０に組み込まれている。このプロセスカートリッジ６０は複写機１００に着脱自在に装着されている。
【００３１】
複写機１００に組み込まれた現像装置１１０について、図２と図３を参照して説明する。
【００３２】
図２は、現像装置が組み込まれたプロセスカートリッジを示す模式図であり、（ｂ）は、開口の下部周辺を示す拡大図である。図３は、シャッタを示す斜視図である。
【００３３】
現像装置１１０には、円筒形のトナー容器７０（図１０などを参照）が着脱自在に装着されるトナー容器装着室１１２が形成されている。トナー容器装着室１１２は円筒状の外壁１１２ａを有しており、この外壁１１２ａで囲まれた空間にトナー容器７０が装着される。外壁１１２ａのうち、後述する現像室１１４との境界になる部分には開口１１２ｂが形成されている。なお、トナー容器７０にはトナーが収容されており、トナー容器７０の外周面７４には、トナーを排出するための排出口７２が形成されている。
【００３４】
また、現像装置１１０には、トナー容器７０の排出口７２から排出されたトナーが収容される現像室１１４が形成されている。現像室１１４はトナー容器装着室１１２に隣接して形成されている。現像室１１４とトナー容器装着室１１２との間には、横断面が半円状（円弧状）のシャッタ１２０が配置されている。シャッタ１２０の全体形状は、図３に示すように、湾曲した板状のものである。シャッタ１２０には、トナー容器７０の排出口７２に重なる受容口１２２が形成されている。受容口１２２は細長い長方形状である。
【００３５】
トナー容器装着室１１２に装着されているトナー容器７０から現像室１１４にトナーを補給する際には、トナー容器装着室１１２に装着されたトナー容器７０をその外周方向に回動させて排出口７２と受容口１２２とを重ねる。
【００３６】
シャッタ１２０のうち受容口１２２の下方部分であってトナー容器装着室１１２に向いた部分には、細長いシール部材１２４が貼り付けられて固定されている。シール部材１２４は、受容口１２２の長手方向に延びている。シール部材１２４は、トナー容器装着室１１２に装着されたトナー容器７０とシャッタ１２０との隙間を塞ぐものである。
【００３７】
また、シャッタ１２０のうちシール部材１２４の上方であって受容口１２２の下方には、複数の誘導開口１２６が形成されている。この誘導開口１２６は、シール部材１２４の上方に存在するトナーを現像室１１４に誘導する。誘導開口１２６の底壁１２６ａは、図２（ｂ）に示すように、シール部材１２４の上端面にほぼ平行になっている。しかし、この底壁１２６ａを、図２（ｂ）に二点鎖線１２６ｂで示すように、垂直に形成してもよい。または、一点鎖線１２６ｃで示すように、底壁１２６ａの下部に向かうほどトナー容器装着室１１２に近付くように傾斜させてもよい。なお、複数の誘導開口１２６は柱１２７で仕切られているが、この柱１２７は補強のためのものである。従って、シャッタ１２０の強度が保たれるのであれば、複数の柱１２７は不要である。
【００３８】
図２から図６までを参照して、トナー容器７０を交換する様子を説明する。
【００３９】
図２と図３は上述したとおりである。図４は、トナー容器を回動し始めた現像装置を示す模式図である。図５（ａ）は、トナー容器を回動中の現像装置を示す模式図であり、（ｂ）は、開口の下部の周辺を示す拡大図である。図６（ａ）は、回動が終了して抜き取れる状態のトナー容器を示す模式図であり、（ｂ）は、開口の下部の周辺を示す拡大図である。
【００４０】
複写機１００が稼動中は、図２に示すように、トナー容器７０の排出口７２と、トナー容器装着室１１２の開口１１２ｂと、シャッタ１２０の受容口１２２が重なっている。この状態のときは、軸７０ａを回転させて弾性体７０ｂを回転させることにより、トナー容器７０に収容されているトナーが排出口７２、開口１１２ｂ、及び受容口１２２を通って外部に排出されて現像室１１４に供給されることとなる。
【００４１】
ところで、トナー容器７０の排出口７２を形成する底壁７３と、シャッタ１２０の受容口１２２を形成する底壁１２３との間には、０．５ｍｍ〜１．０ｍｍ程度の隙間１２５が形成されている。このような隙間１２５が形成されている理由は、シャッタ１２０に固定されているシール部材１２４が貼り付け面（座面）とトナー容器７０の外周面７４との間で圧縮されることに起因する反力（矢印Ｆ方向）によってトナー容器７０が押されて変形しているからである。
【００４２】
図２を参照して説明したようにトナー容器７０のトナーを現像室１１４に補給しているときに、隙間１２５に、粒径５〜１０μｍほどの細かなトナー粒子が入り込む。しかし、この隙間１２５に入り込んだトナー粒子の殆どは、図２（ｂ）に示すように、シャッタ１２０の誘導開口１２６を通って現像室１１４に誘導される。このため、トナー容器７０の外周面７４には、トナーが残留しにくい。従って、トナー容器７０を、図４から図６までに示すように回動させてトナー容器装着室１１２から抜き出しても、トナー容器７０の外周面７４からトナーが殆ど飛散しない。この結果、現像装置１１０の周辺がトナーで汚れない。また、シール部材１２４を厚くする必要も無いので、ユーザーの操作性を損なうことも無い。
【００４３】
図７と図８を参照して、シャッタの他の例を説明する。
【００４４】
図７は、他の例のシャッタを示す斜視図である。図８は、図７のＧ―Ｇ断面図である。これらの図では、図３に示された構成要素と同一の構成要素には同一の符号が付されている。
【００４５】
シャッタ１３０には、シャッタ１２０（図３参照）に形成された受容口１２２と同様の受容口１３２が形成されている。シャッタ１３０のうち受容口１３２の下方の部分に、シール部材１２４を貼り付ける座面１３４が形成されている。シール部材１２４は、上述したように、トナー容器７０とシャッタ１３０との隙間からトナーが漏れることを防ぐためのものである。
【００４６】
受容口１３２は、シャッタ１３０の長手方向（矢印Ｆ方向）に延びる細長い長方形状のものである。座面１３４も矢印Ｆ方向に延びる細長い長方形状のものである。座面１３４の長手方向中央部１３４ａは、図８に示すように、長手方向両端部１３４ｂ，１３４ｂよりも高い。このため、座面１３４とトナー容器７０の外周面との隙間（クリアランス）は座面１３４の長手方向中央部では狭く、長手方向両端部では広くなる。この結果、座面１３４に均一な厚さ（一定の厚さ）のシール部材１２４を貼り付けた場合、座面１３４の長手方向中央部１３４ａにおいてシール部材１２４が潰される量（圧縮される量）は、座面１３４の長手方向両端部１３４ｂにおいてシール部材１２４が潰される量（圧縮される量）よりも大きい。即ち、（長手方向中央部のつぶし量）＞（長手方向両端部のつぶし量）という関係になる。従って、座面１３４の長手方向中央部１３４ａで発生するシール部材１２４の反発力は、座面１３４の長手方向両端部１３４ｂよりも大きくなり、シール部材１２４がトナー容器７０を押す力は、座面１３４の長手方向中央部１３４ａにおいてよりいっそう大きくなる。
【００４７】
一方、トナー容器７０の外周面のうち長手方向中央部の強度は長手方向両端部のそれよりも弱い。このため、トナー容器７０の外周面のうち長手方向中央部と長手方向両端部とを同じ力で押し比べた場合、長手方向中央部における撓みが長手方向両端部における撓みよりも大きくなる。特に、受容口１３２の近傍においては、トナー容器７０の外周面の長手方向中央部と長手方向両端部の強度差が顕著である。
【００４８】
そこで、シャッタ１３０に貼り付けられたシール部材１２４がトナー容器７０の外周面を押し付ける力を、上記のようにシール部材１２４の長手方向中央部で大きくして、シール部材１２４の長手方向両端部で小さくする。これにより、トナー容器７０の外周面が撓んでシャッタ１３０から離れてしまう分の距離を補い、トナー容器７０の外周面に作用する圧力をシール部材１２４の長手方向において均等な状態に近づけられる。このようにしてシール部材１２４の長手方向においてトナー容器７０の外周面を押圧する力（押圧力）の均一化を図ることにより、この押圧力を極端に増加しなくてもシール部材１２４の長手方向全体においてシール性を確保できる。
【００４９】
この結果、ユーザーがトナー容器７０を回転させたり引き抜いたりするなどの操作をする際に必要な力を増加させることなく、シャッタ１３０とトナー容器７０との隙間にトナーを残留しにくくできる。さらに、ジャム（紙詰り）を処理する際にユーザーがプロセスカートリッジを取り出すときにも、機外へトナーが漏れることを未然に防止できる。
【００５０】
なお、上記したシャッタ１３０が組み込まれた現像装置におけるトナー補給の手順、及びトナー容器７０を回動させたときのトナー容器７０とシャッタ１３０の位相の関係はシャッタ１２０のときと同様であるのでその説明を省略する。また、上記した長手方向中央部が高い座面１３４及び誘導開口１２６双方をシャッタに形成してもよい。
【００５１】
【発明の効果】
以上説明したように本発明の第１の現像装置では、トナー容器装着室に装着されているトナー容器の排出口から排出されて現像室に収容されるトナーがシャッタとトナー容器との隙間に入り込んだ場合、この隙間に入りこんだトナーはシール部材の上にほとんど貯まらずに誘導開口から現像室に誘導される。従って、トナー容器装着室に装着されているトナー容器の外周面にトナーが残留しにくいので、トナー容器装着室からトナー容器を取り出す際にはトナーがほとんど飛散しない。この結果、現像装置の周辺がトナーで汚れにくい。
【００５２】
ここで、前記シャッタは、前記シール部材が固定される、前記トナー容器の長手方向に延びる座面とを備えたものであり、該座面は、その長手方向中央部がその長手方向両端部よりも高いものである場合は、座面の長手方向中央部がその長手方向両端部よりも高いので、この座面に固定されたシール部材は長手方向中央部が長手方向両端部よりも高くなる（飛出ている）。このため、シール部材の長手方向中央部が長手方向両端部よりもトナー容器装着室の壁を強くおすこととなるので、シャッタとトナー容器装着室との隙間がいっそう確実にシールされてトナーが漏れにくい。従って、トナー容器装着室からトナー容器を取り出す際にはトナーがほとんど飛散しない。この結果、現像装置の周辺がトナーでいっそう汚れにくい。
【００５３】
また、本発明の第２の現像装置では、座面の長手方向中央部がその長手方向両端部よりも高いので、この座面に固定されたシール部材は長手方向中央部が長手方向両端部よりも高くなる（飛出ている）。このため、シール部材の長手方向中央部が長手方向両端部よりもトナー容器装着室の壁を強くおすこととなるので、シャッタとトナー容器装着室との隙間がいっそう確実にシールされてトナーが漏れにくい。従って、トナー容器装着室からトナー容器を取り出す際にはトナーがほとんど飛散しない。この結果、現像装置の周辺がトナーで汚れにくい。
【図面の簡単な説明】
【図１】本発明の現像装置が組み込まれた複写機の内部構造を示す模式図である。
【図２】現像装置が組み込まれたプロセスカートリッジを示す模式図であり、（ｂ）は、開口の下部周辺を示す拡大図である。
【図３】シャッタを示す斜視図である。
【図４】トナー容器を回動し始めた現像装置を示す模式図である。
【図５】（ａ）は、トナー容器を回動中の現像装置を示す模式図であり、（ｂ）は、開口の下部の周辺を示す拡大図である。
【図６】（ａ）は、回動が終了して抜き取れる状態のトナー容器を示す模式図であり、（ｂ）は、開口の下部の周辺を示す拡大図である。
【図７】他の例のシャッタを示す斜視図である。
【図８】図７のＧ―Ｇ断面図である。
【図９】従来の複写機の一例を示す斜視図である。
【図１０】図９の複写機におけるトナー補給の様子を示す斜視図である。
【図１１】（ａ）は、図９の複写機の現像装置でトナーを補給している様子を示す模式図であり、（ｂ）は、開口の下部の周辺を示す拡大図である。
【図１２】（ａ）は、回動中のトナー容器を示す模式図であり、（ｂ）は、開口の下部の周辺を示す拡大図である。
【図１３】（ａ）は、回動が終了したトナー容器を示す模式図であり、（ｂ）は、開口の下部の周辺を示す拡大図である。
【符号の説明】
７０　トナー容器
７２　排出口
１１０　現像装置
１１２　トナー容器装着室
１１４　現像室
１２０，１３０　シャッタ
１２４　シール部材
１２２，１３２　受容口
１３４　座面
１３４ａ　座面の長手方向中央部
１３４ｂ　座面の長手方向両端部
【図１】
2004125935.tif 000003
【図２】
2004125935.tif 000004
【図３】
2004125935.tif 000005
【図４】
2004125935.tif 000006
【図５】
2004125935.tif 000007
【図６】
2004125935.tif 000008
【図７】
2004125935.tif 000009
【図８】
2004125935.tif 000010
【図９】
2004125935.tif 000011
【図１０】
2004125935.tif 000012
【図１１】
2004125935.tif 000013
【図１２】
2004125935.tif 000014
【図１３】
2004125935.tif 000015